(57)【特許請求の範囲】
【請求項１】
水道水を濾過するためのセディメントフィルターとカーボンフィルター及びＲ．Ｏ．メンブレンが設置されているＲ．Ｏ．純水化装置、前記純水化装置で濾過された純水に混ぜる薬液を貯蔵する薬液タンク及び前記純水を貯蔵する純水タンク有する純水製造部と、上部に１０Ｌタンク内攪拌機とフロート式１０Ｌタンク上限レベルセンサーを備えた１０Ｌタンクが設置され、前記純水製造部で製造した純水と薬液を混合して製造されたオフセット印刷用適正水を一時貯蔵する１０Ｌタンク格納部と、内部には５０Ｌタンク上下限レベルセンサーを備え、上部には定量電磁弁を設置し、前記１０Ｌタンク格納部に貯蔵されたオフセット印刷用適正水を攪拌して貯蔵する５０Ｌタンク格納部とからなることを特徴とするオフセット印刷用適正水製造装置。
【発明の詳細な説明】
【技術分野】
【０００１】
本発明は、オフセット印刷に使用する適正水の製造装置の改良に関する発明である。
【背景技術】
【０００２】
従来、オフセット印刷をする際には、水道水、地下水（井戸水）等をそのまま使用していた。
【０００３】
しかしながら、従来、オフセット印刷用の湿し水を作る際に使用されている水道水、地下水（井戸水）等では地域や季節により、水に含まれる物質や物質の量が一定でないため、安定したオフセット印刷ができない場合があった。
【０００４】
また、そのような水を使用することがオフセット印刷の故障の原因にもなっていた。
【特許文献１】特開２００２−３４７３６３号公報
【発明の開示】
【発明が解決しようとする課題】
【０００５】
そこで、本発明は、水道水をオフセット印刷に最適の安定した純水に変えることができるオフセット印刷用適正水製造装置を提供することを目的とするものである。
【課題を解決するための手段】
【０００６】
本発明は、上記の課題を解決するために、水道水を濾過するためのセディメントフィルター１２、１２ａとカーボンフィルター１２ｂ及びＲ．Ｏ．メンブレン１１が設置されているＲ．Ｏ．純水化装置２１、前記純水化装置２１で濾過された純水に混ぜる薬液を貯蔵する薬液タンク９及び前記純水を貯蔵する純水タンク１３、１３ａ有する純水製造部と、上部に１０Ｌタンク内攪拌機２３とフロート式１０Ｌタンク上限レベルセンサー２９を備えた１０Ｌタンク１４が設置され、前記純水製造部で製造した純水と薬液を混合して製造されたオフセット印刷用適正水を一時貯蔵する１０Ｌタンク格納部と、内部には５０Ｌタンク上下限レベルセンサー３２を備え、上部には定量電磁弁３１を設置し、前記１０Ｌタンク格納部に貯蔵されたオフセット印刷用適正水を攪拌して貯蔵する５０Ｌタンク格納部とからなることを特徴とするオフセット印刷用適正水製造装置とした。
【０００７】
地域によって含んでいる物質やその量が異なる水道水や地下水を安定した純水に変えることができるため、安定したオフセット印刷をすることができる。
【０００８】
また、オフセット印刷の故障の原因と言われている水の問題を純水化することで回避できる。
【０００９】
更に、印刷物に合わせて水の硬度を変えることができるため、常に適正な印刷をすることができる。
【発明を実施するための最良の形態】
【００１０】
適正水を使用して安定したオフセット印刷をするという目的を、適正水製造装置によって実現した。
【実施例１】
【００１１】
図１は本発明であるオフセット印刷用適正水製造装置の正面図、図２はオフセット印刷用適正水製造装置の背面図、図３はオフセット印刷用適正水製造装置の左側面図、図４はオフセット印刷用適正水製造装置の右側面図、図５は本発明であるオフセット印刷用適正水製造装置の平面図である。
【００１２】
図１から図５に示すように、本発明であるオフセット印刷用適正水製造装置１は、純水製造部２と前記純水製造部２で製造した純水２１ｅと薬液を混合して製造されたオフセット印刷用適正水を一時貯蔵する１０Ｌタンク格納部３と、前記１０Ｌタンク格納部３に貯蔵されたオフセット印刷用適正水を攪拌して貯蔵する５０Ｌタンク格納部４とからなる。
【００１３】
また、前記純水製造部２は、水道水を濾過するＲ．Ｏ．純水化装置２１と、前記純水化装置２１で濾過された純水に混ぜる薬液を貯蔵する薬液タンク９と、純水を貯蔵する純水タンク１３、１３ａからなる。
【００１４】
図１から図５に示すように、純水製造部２は複数の枠とパネルを組み合わせた箱形をしている。即ち前左右枠２ａ、２ｂを前第１横枠２ｃ、前第２横枠２ｄ、前第３横枠２ｅ、前第４横枠２ｆで連結し、図１に示すように横枠同士の間にパネルを設置し壁面とした。
【００１５】
背面側も同様に、後左右枠２ｇ、２ｈを後第１横枠２ｉ、後第２横枠２ｊ、後第３横枠２ｋ、後第４横枠２ｌで連結し、横枠同士の間にパネルを設置し壁面とした。前第１横枠２ｃと後第１横枠２ｉは平行かつ同じ高さの位置に設置されており、以下同様に前第２横枠２ｄと後第２横枠２ｊ、前第３横枠２ｅと後第３横枠２ｋ、前第４横枠２ｆと後第４横枠２ｌは、それぞれ平行かつ同じ高さの位置に設置されている。
【００１６】
右側面側も同様に、前後右枠２ｂ、２ｈを右第１横枠２ｍ、右第２横枠２ｎ、右第３横枠２ｏ、右第４横枠２ｐで連結し、横枠同士の間にパネルを設置して壁面とした。尚、右第１横枠２ｍは前第１横枠２ｃと、右第２横枠２ｎは前第２横枠２ｄと、右第３横枠２ｏは前第３横枠２ｅと、右第４横枠２ｆは前第４横枠２ｐと同じ高さの位置に設置されている。以上のように純水製造部２は３段の箱状をしている。
【００１７】
３段に分けられた純水製造部２の上段には薬液タンク９と薬液タンク９内の薬液を吐出する際に作動させる電磁定量ポンプ１０と３つの電磁弁を備えている。尚、３つの電磁弁とは入口電磁弁１６、送水電磁弁１７、循環電磁弁１８である。
【００１８】
純水製造部２の中段には水道水を濾過するためのセディメントフィルター１２、１２ａとカーボンフィルター１２ｂ及びＲ．Ｏ．メンブレン１１が設置されている。セディメントフィルター１２は１マイクロメートル以上の物質を除去することができるフィルターで、セディメントフィルター１２ａはゴミや錆、水垢など比較的大きな５マイクロメートル以上の物質を除去することができるフィルターである。
【００１９】
また、カーボンフィルター１２ｂは、嫌な臭いの元となる塩素や細菌、有機物などを吸着し除去することができ、Ｒ．Ｏ．メンブレン１１は、０．０００１マイクロメートルの孔のある膜で農薬、細菌、溶け込んだ金属、無機塩類、放射能物質など水分子以外の物質をほぼ完全に除去することができる。
【００２０】
純水製造部２の下段には前述のセディメントフィルター１２、１２ａ、カーボンフィルター１２ｂ、Ｒ．Ｏ．メンブレン１１で濾過された純水を貯蔵する純水タンク１３、１３ａと送水ポンプ１９を備えている。
【００２１】
前記純水製造部２の上段の上面は前後第１横枠２ｃ、２ｉと上左横枠２ｑ及び右第１横枠２ｍを枠体として天板扉２ｒが取り付けられている。天板２ｒの中央右側には取っ手２ｓを設け、また天板２ｒの左面に連結された上左横枠２ｑには複数の蝶番５が取り付けられており、天板２ｒを開閉することができる。
【００２２】
また、純水製造部２の背面下部にはコネクター１５、１５ａ、適正水差込口１５ｂ、純水差込口１５ｃ、排水差込口１５ｄ、水道水差込口１５ｅが設置されている。
【００２３】
図１から図５に示すように、前記１０Ｌタンク格納部３は、複数の枠とパネルを組み合わせた箱形をしている。即ち、正面は上扉左右枠３ａ、３ｂの上下端を上扉上下枠３ｃ、３ｄで連結して長方形状を形成し、それらを枠としてパネルを取付け、スイッチ等を備えた上扉パネル３ｅとした。
【００２４】
背面は後左右枠３ｆ、３ｇの上下端を後上下枠３ｈ、３ｉで連結して長方形状を形成し、それらを枠としてパネルを取り付けた。また、左側面は左上下枠３ｊ、３ｌの左端を後左枠３ｆで連結し、左上下枠３ｊ、３ｌの中央付近を左中枠３ｋで連結し、前記左中枠３ｋより前側と後ろ側にパネルを取り付けた。
【００２５】
前記１０Ｌタンク格納部３の上面は後上枠３ｈと、後右枠３ｇの上端に直角に連結された上右枠３ｎと、上右枠３ｎの中央付近と左上枠３ｊの中央付近を連結した上中枠３ｍを枠としてパネルを取り付けている。尚、後上枠３ｈと上中枠３ｍは平行の関係にある。
【００２６】
１０Ｌタンク格納部３のうち、左中枠３ｋより後ろ側の内部には上部に１０Ｌタンク内攪拌機２３とフロート式１０Ｌタンク上限レベルセンサー２９を備えた１０Ｌタンク１４が設置されている。
【００２７】
前記上扉パネル３ｅには本発明であるオフセット印刷用適正水製造装置１を操作するためのスイッチ類及び計器類が取り付けられている。即ち、上扉パネル３ｅの上部右側にはグラフィックパネル７を取付け、上部左側には上から表示灯７ａ、薬液吐出量設定器７ｂ、漏電遮断機７ｃを備えている。
【００２８】
また、上扉パネル３ｅの下部には照光式押ボタンスイッチ７ｄ、押ボタンスイッチ７ｅ、フリッカー表示灯７ｆ、圧力計７ｇ、７ｈ、７ｉが設置されている。尚、上扉パネル３ｅの右面に連結された上扉右枠３ｂは前左枠２ａと蝶番５を介して連結されているため上扉パネル３ｅを開閉することができる。
【００２９】
図１から図５に示すように、前記５０Ｌタンク格納部４は、複数の枠とパネルを組み合わせた箱形をしている。即ち、正面は下扉左右枠４ａ、４ｂの上下端を下扉上下枠４ｃ、４ｄで連結して長方形状を形成し、それらを枠としてパネルを取付けた下扉とした。前記下扉右枠４ｂは前記前左枠２ａと蝶番５を介して連結されているため下扉を開閉することができる。
【００３０】
背面は後左右枠４ｅ、４ｆの上下端を後上下枠４ｇ、４ｈで連結して長方形状を形成し、それらを枠としてパネルを取り付けた。また、左側面は前記１０Ｌタンク格納部３の左下枠３ｌの後端と左下枠４ｉの後端を後左枠４ｅで連結しパネルを取り付けた。
【００３１】
５０Ｌタンク格納部４は、内部に５０Ｌタンク上下限レベルセンサー３２を備えた５０Ｌタンク８を設置し、上部に定量電磁弁３１を設置している。
【００３２】
図１から図５に示すよう、純水製造部２と１０Ｌタンク格納部３と５０Ｌタンク格納部４からなるオフセット印刷用適正水製造装置１の下面には複数のアジャスター６及びキャスター６ａが取り付けられており、自由に移動設置することができる。
【００３３】
次に、図６及び図７を使用して本発明であるオフセット印刷用適正水製造装置１を使用して適正水を製造する工程を説明することとする。図６及び図７は本発明であるオフセット印刷用適正水製造装置のフローチャートである。
【００３４】
図６に示すように、まず、一般に利用することのできる水道水２０をＲ．Ｏ．純水化装置２１に通して濾過する。水道水２０は、Ｒ．Ｏ．純水化装置２１の中でまずフィルターの隙間が５ミクロンであるセディメントフィルター２１ａで濾過され、ゴミや錆、水垢などの５ミクロン以上ある比較的大きな物質を除去される。
【００３５】
５ミクロン以上の物質を除去された水道水２０は、次にカーボンフィルター２１ｂにより濾過され、嫌な味や臭いのもととなる塩素や殺菌、有機物などを除去される。
【００３６】
カーボンフィルター２１ｂで濾過された水道水２０は、フィルターの隙間が１ミクロンであるセディメントフィルター２１ｃで濾過され、最後に０．０００１マイクロメートルの孔のＲＯ膜を備えたＲ．Ｏ．メンブレン２１ｄで濾過される。
【００３７】
前記Ｒ．Ｏ．メンブレン２１ｄでは、膜の孔が０．０００１マイクロメートルであるため農薬、細菌、溶け込んだ金属、無機塩類、放射能物質など水分子以外の物質をほぼ完全に除去することができ、このＲ．Ｏ．メンブレン２１ｄで濾過された水道水２０は純水２１ｅとなる。尚、濾過行程で取り除かれた各物質は排水差込口１５ｄより排水２２される。
【００３８】
前記Ｒ．Ｏ．純水化装置２１で作られた純水２１ｅは、純水タンク１３、１３ａに一時貯蔵される。純水２１ｅはその後入口弁１６より１０Ｌタンク１４内に貯蔵されるが、このとき薬液タンク９の薬液との混合が行われて貯蔵される。
【００３９】
前記薬液タンク９から純水２１ｅと混合する薬液を吐出する量は、薬液吐出量設定器７ｂにより設定を行い、電磁定量ポンプ１０により吐出される。
【００４０】
１０Ｌタンク１４内に貯蔵する量は、フロート式１０Ｌタンク上限レベルセンサー２９が監視し、常に一定量を貯蔵することができる。
【００４１】
１０Ｌタンク１４内に貯蔵された純水２１ｅと薬液の混合液であるオフセット印刷用適正水は、１０Ｌタンク内攪拌機２３により１０Ｌタンク内攪拌され、定量弁２５から５０Ｌタンク８に貯蔵される。尚、１０Ｌタンク内攪拌機２３の時間は電機制御部３０により管理され、攪拌開始から一定時間が経過すると攪拌タイマータイムアップ２４となる。
【００４２】
５０Ｌタンク８内に貯蔵されたオフセット印刷用適正水は送水電磁弁１７を開き、送水ポンプ３３により適正水差込口１５ｂから印刷機２６へ注入される。
【００４３】
前記５０Ｌタンク８内のオフセット印刷用適正水の量は５０Ｌタンク上限２７（図３中の５０Ｌタンク上下限レベルセンサー３２）で監視され、常に一定量を貯蔵している。貯蔵量が足りない場合はタイマー２８（図５中の電機制御部３０）が作動し、送水ポンプ１９が動く。このとき、循環電磁弁１８は開き５０Ｌタンク８内に一定量のオフセット印刷用適正水が補給される。
【００４４】
図７にしめした流れ図は、図６で示した流れ図とほぼ同じである。即ち、水道水２０を純水２１ｅとするためのＲ．Ｏ．純水化装置２１が簡易型となったもので、濾過された純水２１ｅからオフセット印刷用適正水を作る手順、各タンクへの補給、印刷機への注入などは同じである。
【００４５】
以上のような行程でオフセット印刷用適正水が生成されるが、本発明のオフセット印刷用適正水製造装置１では、印刷物により水の硬度を変えることも簡単にでき、あらゆる印刷物に対応した最も適切な水を生成することができる。
【図面の簡単な説明】
【００４６】
【図１】本発明であるオフセット印刷用適正水製造装置の正面図である。
【図２】本発明であるオフセット印刷用適正水製造装置の背面図である。
【図３】本発明であるオフセット印刷用適正水製造装置の左側面図である。
【図４】本発明であるオフセット印刷用適正水製造装置の右側面図である。
【図５】本発明であるオフセット印刷用適正水製造装置の平面図である。
【図６】本発明であるオフセット印刷用適正水製造装置のフローチャートである。
【図７】本発明であるオフセット印刷用適正水製造装置のフローチャートである。
【符号の説明】
【００４７】
１      オフセット印刷用適正水製造装置
２      純水製造部
２ａ    前左枠
２ｂ    前右枠
２ｃ    前第１横枠
２ｄ    前第２横枠
２ｅ    前第３横枠
２ｆ    前第４横枠
２ｇ    後左枠
２ｈ    後右枠
２ｉ    後第１横枠
２ｊ    後第２横枠
２ｋ    後第３横枠
２ｌ    後第４横枠
２ｍ    右第１横枠
２ｎ    右第２横枠
２ｏ    右第３横枠
２ｐ    右第４横枠
２ｑ    上左横枠
２ｒ    天板扉
２ｓ    取っ手
３      １０Ｌタンク格納部
３ａ    上扉左枠
３ｂ    上扉右枠
３ｃ    上扉上枠
３ｄ    上扉下枠
３ｅ    上扉パネル
３ｆ    後左枠
３ｇ    後右枠
３ｈ    後上枠
３ｉ    後下枠
３ｊ    左上枠
３ｋ    左中枠
３ｌ    左下枠
３ｍ    上中枠
３ｎ    上右枠
４      ５０Ｌタンク格納部
４ａ    下扉左枠
４ｂ    下扉右枠
４ｃ    下扉上枠
４ｄ    下扉下枠
４ｅ    後左枠
４ｆ    後右枠
４ｇ    後上枠
４ｈ    後下枠
４ｉ    左下枠
５      蝶番
６      アジャスター
６ａ    キャスター
７      グラフィックパネル
７ａ    表示灯
７ｂ    薬液吐出量設定器
７ｃ    漏電遮断器
７ｄ    照光式押ボタンスイッチ
７ｅ    押ボタンスイッチ
７ｆ    フリッカー表示灯
７ｇ    圧力計
７ｈ    圧力計
７ｉ    圧力計
８      ５０Ｌタンク
９      薬液タンク
１０      電磁定量ポンプ
１１      Ｒ．Ｏ．メンブレン
１２      セディメントフィルター
１２ａ    セディメントフィルター
１２ｂ    カーボンフィルター
１３      純水タンク
１３ａ    純水タンク
１４      １０Ｌタンク
１５      コネクター
１５ａ    コネクター
１５ｂ    適正水差込口
１５ｃ    純水差込口
１５ｄ    排水差込口
１５ｅ    水道水差込口
１６      入口電磁弁
１７      送水電磁弁
１８      循環電磁弁
１９      送水ポンプ
２０      水道水
２１      Ｒ．Ｏ．純水化装置（精密型）
２１ａ    セディメントフィルター
２１ｂ    カーボンフィルター
２１ｃ    セディメントフィルター
２１ｄ    Ｒ．Ｏ．メンブレン
２１ｅ    純水
２２      排水
２３      １０Ｌタンク内攪拌機
２４      攪拌タイマータイムアップ
２５      定量弁
２６      印刷機
２７      ５０Ｌタンク上限
２８      タイマー
２９      フロート式１０Ｌタンク上限レベルセンサー
３０      電機制御部
３１      定量電磁弁
３２      ５０Ｌタンク上下限レベルセンサー
３３      送水ポンプ
【図１】
0004552150.tif 000002
【図２】
0004552150.tif 000003
【図３】
0004552150.tif 000004
【図４】
0004552150.tif 000005
【図５】
0004552150.tif 000006
【図６】
0004552150.tif 000007
【図７】
0004552150.tif 000008